(57)【要約】【課題】  閉蓋方向にキャップを回動させたときに、回転トルクの上昇を抑えるとともに、安定した閉蓋状態とすることができる安全キャップ付き容器を提供すること。【解決手段】  容器本体は、胴部の上端に設けられる肩部と、肩部の端部から立設され、内部に注出口が形成され、外周にねじ部を有する円筒状の口筒部とを有し、肩部上面には、１つないしは複数の開封防止リブが形成され、開封防止リブは、螺着方向には第１傾斜側面部と、螺脱方向には略垂直な第１当接面とを有するとともに、上面部は端部から上方に向けて傾斜するテーパ部を有し、キャップは、容器本体の注出口を覆う頂壁と、頂壁の周縁から垂下される側周壁と、頂壁の裏面から垂設され、内周にねじ部を有する内筒とからなり、側周壁は、内周に１つないしは複数の突起部が形成されていることを特徴とする。【選択図】  図１
2018203298.tif 000002
【特許請求の範囲】
【請求項１】
容器本体と容器本体に螺合されるキャップとからなる安全キャップ付き容器であって、
容器本体は、胴部の上端に設けられる肩部と、肩部の端部から立設され、内部に注出口が形成され、外周にねじ部を有する円筒状の口筒部とを有し、
肩部上面には、１つないしは複数の開封防止リブが形成され、開封防止リブは、螺着方向には第１傾斜側面部と、螺脱方向には略垂直な第１当接面とを有するとともに、上面部は端部から上方に向けて傾斜するテーパ部を有し、
キャップは、容器本体の注出口を覆う頂壁と、頂壁の周縁から垂下される側周壁と、頂壁の裏面から垂設され、内周にねじ部を有する内筒とからなり、
側周壁は、内周に１つないしは複数の突起部が形成され、キャップを容器本体に閉蓋するに際し、キャップを閉蓋方向に回転させて、開封防止リブの端部で、突起部の下端部が開封防止リブの上面部のテーパ部を乗り越えることを特徴とする安全キャップ付き容器。
【請求項２】
側周壁の突起部は、開封防止リブの第１傾斜側面部を乗り越える第２傾斜側面部と、第１当接面に係合する第２当接面を有し、
キャップを容器本体に閉蓋するに際し、キャップを閉蓋方向に回転させて、突起部の下端部が開封防止リブの上面部のテーパ部を乗り越えた後に、さらに回転させて、突起部の第２傾斜側面部が開封防止リブの第１傾斜側面部を乗り越え、突起部の第２当接面が開封防止リブの第１当接面に係合することを特徴とする請求項１に記載の安全キャップ付き容器。
【請求項３】
キャップは、撓みやすい樹脂で成形され、
容器本体の開封防止リブとキャップの突起部は、それぞれ相対する位置に２個有し、
閉蓋時に第１当接面と第２当接面が係合する位置から離れた側周壁を内方向に押し込むことによって、第１当接面と第２当接面との係合を解きながら、開蓋方向にキャップを回転させて開封することを特徴とする請求項２に記載の安全キャップ付き容器。
【請求項４】
キャップは、頂壁裏面から垂設されたシール筒を有し、閉蓋時に容器本体の注出口をシールすることを特徴とする請求項１〜３のいずれかに記載の安全キャップ付き容器。
【請求項５】
開封防止リブの第１当接面と突起部の第２当接面は、それぞれの先端部に第１突起と第２突起とが形成されていることを特徴とする請求項１〜３のいずれかに記載の安全キャップ付き容器。
【発明の詳細な説明】
【技術分野】
【０００１】
本発明は、子供が容易にキャップを開封することができない安全キャップ付き容器に関する。
【背景技術】
【０００２】
従来、内容物を収納した容器本体に螺合されるキャップにおいては、単にキャップを開栓方向に回動させるだけでキャップを容器の口頸部から螺脱させることが可能なため、子供によってキャップが開けられた場合、内容物が外部に流出したり、誤って服用したりすることがあり、安全性の観点から子供が容易に取り外すことができないようにした安全キャップ付き容器が知られている。
【０００３】
安全キャップ付き容器として、キャップの指定された側面を押圧して、容器の突起部とキャップの歯部との係合を解き、キャップを回動させることによって、キャップを取り外すことができる安全キャップ装置が提案されている（例えば、特許文献１参照）。
【先行技術文献】
【特許文献】
【０００４】
【特許文献１】特開昭５１−２４３８２号公報
【発明の概要】
【発明が解決しようとする課題】
【０００５】
しかしながら、上記特許文献１記載の安全キャップ装置の場合、閉蓋方向にキャップを回動させていくと、歯部が突起部の端部に接触して、回転トルクが上がり、閉めづらくなるという問題があった。また、歯部と突起部との係合する量が小さく、キャップの側壁を押し込むような偶発的な行動により係合が外れやすいという問題があった。
【０００６】
本発明は、上記問題を解決することを課題とし、閉蓋方向にキャップを回動させたときに、回転トルクの上昇を抑えるとともに、容器本体の開封防止リブとキャップの突起部との係合する量を増やし、係合強度を高め、安定した閉蓋状態とすることができる安全キャップ付き容器を提供することを目的とする。
【課題を解決するための手段】
【０００７】
本発明は、上記の課題を解決するため、安全キャップ付き容器として、容器本体と容器本体に螺合されるキャップとからなる安全キャップ付き容器であって、容器本体は、胴部の上端に設けられる肩部と、肩部の端部から立設され、内部に注出口が形成され、外周にねじ部を有する円筒状の口筒部とを有し、肩部上面には、１つないしは複数の開封防止リブが形成され、開封防止リブは、螺着方向には第１傾斜側面部と、螺脱方向には略垂直な第１当接面とを有するとともに、上面部は端部から上方に向けて傾斜するテーパ部を有し、キャップは、容器本体の注出口を覆う頂壁と、頂壁の周縁から垂下される側周壁と、頂壁の裏面から垂設され、内周にねじ部を有する内筒とからなり、側周壁は、内周に１つないしは複数の突起部が形成され、キャップを容器本体に閉蓋するに際し、キャップを閉蓋方向に回転させて、開封防止リブの端部で、突起部の下端部が開封防止リブの上面部のテーパ部を乗り越えることを特徴とする構成を採用する。
【０００８】
安全キャップ付き容器の具体的実施形態として、側周壁の突起部は、開封防止リブの第１傾斜側面部を乗り越える第２傾斜側面部と、第１当接面に係合する第２当接面を有し、キャップを容器本体に閉蓋するに際し、キャップを閉蓋方向に回転させて、突起部の下端部が開封防止リブの上面部のテーパ部を乗り越えた後に、さらに回転させて、突起部の第２傾斜側面部が開封防止リブの第１傾斜側面部を乗り越え、突起部の第２当接面が開封防止リブの第１当接面に係合することを特徴とする構成を採用する。
【０００９】
さらに、安全キャップ付き容器の具体的実施形態として、キャップは、撓みやすい樹脂で形成され、容器本体の開封防止リブとキャップの突起部は、それぞれ相対する位置に２個有し、閉蓋時に第１当接面と第２当接面が係合する位置から離れた側周壁を内方向に押し込むことによって、第１当接面と第２当接面との係合を解きながら、開封方向にキャップを回転させて開封することを特徴とする構成、キャップは、頂壁裏面から垂設されたシール筒を有し、閉蓋時に容器本体の注出口をシールすることを特徴とする構成、また、開封防止リブの第１当接面と突起部の第２当接面は、それぞれの先端部に第１突起と第２突起とが形成されていることを特徴とする構成を採用する。
【発明の効果】
【００１０】
本発明の安全キャップ付き容器は、上記構成を有することにより、開封防止リブの端部からテーパ部が設けられているので、閉蓋方向へ回動させたときに、突起部の下端部が開封防止リブの端部に接触後、そのままテーパに沿って閉蓋していくので、回転トルクが軽減され、閉めやすくなる。
また、開封防止リブと突起部との係合する量が増加し、係合強度が高くなり、安定した閉蓋状態とすることができる。
【図面の簡単な説明】
【００１１】
【図１】本発明の安全キャップ付き容器の実施例１における閉蓋状態を示す図であり、（ａ）は側面断面図、（ｂ）はＸ−Ｘ線矢視図である。
【図２】本発明の安全キャップ付き容器の実施例１において、（ａ）は開蓋状態のキャップの正面断面図、（ｂ）は開蓋状態の容器本体の正面図、（ｃ）は閉蓋状態の正面図における図１（ｂ）に示すＸ−Ｘ線矢視図である。
【図３】本発明の安全キャップ付き容器の実施例１における閉蓋途中のテーパに乗り上げる状態を示す図であり、（ａ）は側面断面図、（ｂ）は図１（ｂ）に示すＸ−Ｘ線矢視図における要部、（ｃ）は、正面図における要部である。
【図４】本発明の安全キャップ付き容器の実施例１における閉蓋途中のテーパの最終部分に乗り上げている状態を示す図であり、（ａ）は側面断面図、（ｂ）は図１（ｂ）に示すＸ−Ｘ線矢視図における要部、（ｃ）は、正面図における要部である。
【図５】本発明の安全キャップ付き容器の実施例１において、（ａ）は閉蓋状態の締め切り直前の状態を示す図１（ｂ）に示すＸ−Ｘ線矢視図、（ｂ）は側周壁を強く押して、係合を解いた状態を示す図１（ｂ）に示すＸ−Ｘ線矢視図である。
【図６】本発明の安全キャップ付き容器の実施例２における閉蓋状態を示す図であり、（ａ）は図１（ｂ）に示すＸ−Ｘ線矢視図、（ｂ）は（ａ）の要部拡大図である。
【発明を実施するための形態】
【００１２】
次に、本発明の安全キャップ付き容器のキャップを具体化した実施形態について、実施例を示した図面を参照して説明する。
【実施例１】
【００１３】
図１〜図４において、Ａは容器本体、Ｂは容器本体Ａに装着されるキャップである。
【００１４】
容器本体Ａは、筒体状の胴部１の上端に設けられる肩部２と、肩部２の縮径された上部から立ち上げ壁５を立設し、立ち上げ壁５から段部６を介し、内部に注出口３が形成された円筒状の口筒部４とから構成されている。
肩部２には、相対する位置に２個の開封防止リブ７が形成され、口筒部４の外周には、ねじ部（雄ねじ）８が螺設されている。
【００１５】
開封防止リブ７は、図１（ｂ）に示すように、螺着方向には、端部９から緩やかな曲線で、径方向に広がる第１傾斜側面部１０と、螺脱方向には、閉蓋時に後述するキャップＢの突起部２５に係合する略垂直な第１当接面１１を有する。
また、開封防止リブ７の上面部は、同時に端部９から第１当接面１１に向けて上昇するテーパ部１２が設けられている。
【００１６】
キャップＢは、頂壁２０と頂壁２０の周縁から垂下される側周壁２１と、頂壁２０の裏面から垂設されるシール筒２２と、その外側に垂設され、内周にねじ部（雌ねじ）２３が螺設される内筒２４とから構成されている。
側周壁２１の内周には、突起部２５が設けられ、また、側周壁２１の外周にはローレットなどの滑り止めが設けられている。
【００１７】
突起部２５は、図１（ｂ）に示すように、相対する位置に２個設けられ、開封防止リブ７の第１傾斜側面部１０上を乗り越えやすくするために、第２傾斜側面部２６を有し、また、開封防止リブ７の第１当接面１１に係合する面として第２当接面２７を有している。
なお、本実施例では、突起部２５は、側周壁２１の内周に上下に長く設けられているが、開封防止リブ７に係合する下部のみに設けてもよい。
開封防止リブ７と突起部２５はそれぞれ１個でもよく、また、２個に限らず３個以上とすることも可能であり、さらに開封防止リブ７と突起部２５の数は同じでなくてもよい。
【００１８】
次に、本実施形態の使用態様と作用効果について図面を参照しながら説明する。
本実施例では、キャップＢは柔軟で撓みやすい樹脂で射出成形されている。
また、容器本体Ａも合成樹脂製とすることが好ましいが、開封防止リブ７を設けることができれば、ガラス製や金属製など、どのようなものであってもよい。
【００１９】
キャップＢを容器本体Ａに閉蓋するには、内容物を収納ないしは充填した容器本体Ａの口筒部４に、上方からキャップＢを被せ、下降させていくと内筒２４の内周のねじ部（雌ねじ）２３が容器本体Ａのねじ部（雄ねじ）８の上面に当接し、一般的には右回りに回転させることによって、キャップＢが下降していく。
【００２０】
さらに、キャップＢを回転させて下降させていくと、図３に示すように、キャップＢの側周壁２１内周に設けられた突起部２５の下端部が、容器本体Ａの開封防止リブ７の上面部のテーパ部１２に乗り上げる。また、このときキャップＢのシール筒２２は、容器本体Ａの口筒部４の内周の注出口３に当接している。
さらに、突起部２５の下端部は、図４に示すように、テーパ部１２に沿ってキャップＢが上昇し、内筒２４のねじ部（雌ねじ）２３もねじのガタ分だけ上昇して、口筒部４のねじ部（雄ねじ）８に当接するが、突起部２５がテーパ部１２を乗り越えれば、これらの係合は解消される。
さらに、キャップＢの回転が進むようになり、１８０°回転したところで、再度突起部２５の下端部は、今度はキャップＢが下がっているために、上面部のテーパ部１２に乗り上げることができず、開封防止リブ７の第１傾斜側面部１０に、突起部２５の第２傾斜側面部２６が当接し、図５（ａ）に示すように、キャップＢの側周壁２１を外方に広げながら、突起部２５は、開封防止リブ７を乗り越え、図１に示すように、側周壁２１の形状が元に戻り、突起部２５の第２当接面２７は、開封防止リブ７の第１当接面１１に係合して、キャップＢの容器本体Ａへの閉蓋が終了し、締め切りの状態となる。
【００２１】
また、閉蓋に際し、容器本体Ａの注出口３はキャップＢのシール筒２２によって完全にシールされ、液状の内容物であっても、漏れることがない。
また、突起部２５の第２当接面２７と開封防止リブ７の第１当接面１１は係合が強固なものとなり、キャップＢを開封方向に回転させようとしても、あるいは、キャップＢの側周壁２１が偶発的に多少押し込まれるようなことがあっても、係合が外れることがなく、安定した閉蓋状態を保つことができる。
【００２２】
開封防止リブ７のテーパ部１２がない場合には、キャップＢの閉蓋に際し、回転トルクの上昇を避けるため、ねじのガタ分を考慮して、開封防止リブ７と突起部２５とが係合する量は、高さ方向には一定の量（図１（ａ）のテーパの高さαを除いた量）しか取ることができないが、図２（ｂ）に示すように、本実施例では、開封防止リブ７に高さαのテーパ部１２を設けたため、テーパ部１２によってねじのガタ分をキャップＢが上昇し、余計な回転トルクがかかることなく閉蓋が容易になるとともに、図１（ａ）に示すように、締め切り位置において、開封防止リブ７と突起部２５とが係合する量がテーパ高さのα分だけ増加し、係合強度を上げることができる。
【００２３】
閉蓋された安全キャップ付き容器のキャップＢを開封するためには、図５（ｂ）に示すように、２つの開封防止リブ７と、突起部２５の係合する位置の中間部あたりの側周壁２１を、容器本体Ａの立ち上げ壁５と側周壁２１との空隙部に向けて、内方向に押しつぶすと、開封防止リブ７の第１当接面１１から突起部２５の第２当接面２７の係合が外れ、そのまま開封方向にキャップＢを１８０°以上回転させることによって、第１当接面１１と第２当接面２７とが再度係合することなく、さらに回転し続けることによって、キャップＢを容器本体Ａから取り外すことができる。
なお、１８０°より少ない回転の場合には、再度開封防止リブ７の第１当接面１１に突起部２５の第２当接面２７が係合してしまうことになるので、そのときは、再度側周壁２１を内方に押しつぶして係合を外し、そのまま回転して、キャップＢを容器本体Ａから取り外すことができる。
【実施例２】
【００２４】
次に、開封防止リブ７の第１当接面１１と突起部２５の第２当接面２７の形状を変更した第２実施例について説明する。
以下、第１実施例と同一の構成部分には同一の符号を付し、相違点を中心に説明する。
【００２５】
図６に示すように、本実施例では、第１当接面１１と突起部２５の第２当接面２７のそれぞれの先端部に第１突起１３と第２突起２８が形成されている。
【００２６】
本実施例の作用効果は、第１当接面１１の第１突起１３と第２当接面２７の第２突起２８とが、それぞれ噛み合って係合が強固となり、キャップＢの側周壁２１が何らかの拍子に変形した場合にも、簡単には係合が解かれてしまうことがない。
なお、第１実施例と同様に、突起部２５から離れた位置の側周壁２１を内方に強く押し込むことで係合が外れ、そのまま１８０°以上開封方向に回転させることによって、再度係合することなく、回転し続けることによって、キャップＢを容器本体Ａから取り外すことができる。
その他の構成は第１実施例と同じであり、同様の作用効果を奏する。
【００２７】
なお、上記実施例では、キャップＢの側周壁２１を押し込んで係合を外し、開封するものであるが、開封の方法としては、キャップＢの側周壁２１に周方向に薄肉弱化部を設けておいて、薄肉弱化部を破断して開封防止リブ７と突起部２５の係合を外すなど、他のどのような開封方法であっても構わない。
【００２８】
また、本実施例では容器本体Ａの肩部２に、キャップＢを押し込むための空隙となるように立ち上げ壁５が設けられているが、立ち上げ壁５の代わりに、口筒部４の下部を広げて、立ち上げ壁５をなくしても構わない。
【産業上の利用可能性】
【００２９】
本発明の安全キャップ付き容器は、閉蓋時に開封防止リブの上面をテーパ部にすることによって、回転トルクの上昇を抑制し、閉蓋を容易にするとともに、開封防止リブと突起部との係合する量を増加させて、強固に係合することが可能になり、容易に係合が外れてしまうことがないので、子供の悪戯等による開封を防止することができ、薬剤や有害成分を含むような内容物のための容器として好適である。
【符号の説明】
【００３０】
Ａ            容器本体
Ｂ            キャップ
α            テーパの高さ
１            胴部
２            肩部
３            注出口
４            口筒部
５            立ち上げ壁
６            段部
７            開封防止リブ
８            ねじ部（雄ねじ）
９            端部
１０            第１傾斜側面部
１１            第１当接面
１２            テーパ部
１３            第１突起
２０            頂壁
２１            側周壁
２２            シール筒
２３            ねじ部（雌ねじ）
２４            内筒
２５            突起部
２６            第２傾斜側面部
２７            第２当接面
２８            第２突起
【図１】
2018203298.tif 000003
【図２】
2018203298.tif 000004
【図３】
2018203298.tif 000005
【図４】
2018203298.tif 000006
【図５】
2018203298.tif 000007
【図６】
2018203298.tif 000008